(57)【特許請求の範囲】
【請求項１】
撮影レンズを取り付け可能に構成された筐体状の第１ボディと、
開口と、撮像媒体の位置決めをする基準面と、を有する第２ボディと、を接合することによって構成されるカメラボディにおいて、
前記第１ボディには、前記撮影レンズを取り付けるバヨネットマウントと、メインミラーを収納するミラーボックスと、シャッターユニットとが取り付けられるとともに、前記第２ボディに取り付けられる全ての取り付け面が、同一の型で形成され且つ前記撮影レンズの光軸方向における同一平面上に設けられており、
前記第２ボディの前記開口が存在する面であって且つ前記第１ボディと対向する面に、前記第１ボディの前記全ての取り付け面を当接させ、該当接させた部分において前記第１ボディを前記第２ボディに取り付けることを特徴とするカメラボディ。
【請求項２】
前記開口の周辺部において、前記第１ボディと前記第２ボディとを締結手段により固定することを特徴とする請求項１に記載のカメラボディ。
【請求項３】
前記基準面は、フィルムレール、もしくは撮像素子の取り付け面を構成していることを特徴とする請求項１または請求項２に記載のカメラボディ。
【請求項４】
前記第１ボディと前記第２ボディの当接する面に、前記シャッターユニットが取り付けられていることを特徴とする請求項１乃至請求項３に記載のカメラボディ。
【発明の詳細な説明】
【０００１】
【発明の属する技術分野】
本発明は、カメラのボディ構成に関し、特にアパーチャーを形成する後ボディの形状と、撮影光路を形成する前ボディの形状と、前ボディと後ボディのドッキング形態に関する。
【０００２】
【従来の技術】
従来、カメラ内部の枠組は、前ボディと後ボディとの大きく分けて２つの構造物により形成されている。一眼レフカメラを例に取ると、前ボディは交換レンズを装着するバヨネットマウント、メインミラー、プリズムボックス等が設置され、撮影光路を確保する機能を持つ。また、後ボディはフィルムパトローネを装填するパトローネ室、パトローネから引き出されたフィルムを巻き取るスプール室、撮影画面を規定するアパーチャー等を備えており、前ボディと後ボディをドッキングすることで、カメラの枠組を構成している。従来のカメラのドッキング形態を図６および図７に示す。
【０００３】
図６は、第１従来例を示す斜視図である。図６において、後ボディ４１０は、撮影画面を規定するアパーチャー４１１、およびパトローネ室４１２、スプール室４１３を有する。後ボディ４１０は、次に説明する前ボディ４２０と、パトローネ室側ドッキング面４１４〜４１５およびスプール室側ドッキング面４１６〜４１７においてドッキング（当接）される。
【０００４】
前ボディ４２０は、バヨネットマウント取り付け面４２１を有する。前ボディ４２０は、パトローネ室側ドッキング面４２２〜４２２ａおよびスプール室側ドッキング部４２３〜４２４において後ボディ４１０とドッキングされる。
【０００５】
図７は、第２従来例を示す斜視図である。図７において、後ボディ４３０は、撮影画面を規定するアパーチャー４３１、パトローネ室４３２、およびスプール室４３３を有する。後ボディ４３０は、次に説明する前ボディ４５０と、パトローネ室側ドッキング面４３４〜４３５、スプール室側ドッキング面４３６〜４３７、アパーチャー近傍上側ドッキング面４３８〜４３９、およびアパーチャー下側ドッキング面４４０〜４４１においてドッキングされる。
【０００６】
前ボディ４５０は、バヨネットマウント取り付け面４５１、パトローネ室側ドッキング部４５２〜４５３、スプール室側ドッキング部４５４〜４５５、プリズムボックス収納部後側ドッキング部４５６〜４５７、バヨットマウント取り付け面下側ドッキング部４５８〜４５９において、後ボディ４３０とドッキングされる。
【０００７】
図７では、図６の例の４箇所に加えて、後ボディ４３０にはアパーチャー近傍の上側に２箇所、アパーチャー下部で、パトローネ室とスプール室の前側に２箇所のドッキング面があり、前ボディ４５０にはプリスムボックス収納部の後ろ側に２箇所、バヨネットマウント取り付け面下部の裏側に２箇所のドッキング面がある。
【０００８】
【発明が解決しようとする課題】
最近のカメラでは、前ボディと後ボディをプラスチックモールドにて成形し、前ボディにおいてはバヨネットマウント取り付け面から後ボディドッキング面までの光軸方向の寸法と、後ボディにおいてはフィルムレール面から前ボディドッキング面までの光軸方向の寸法を、各々精密に管理し、前ボディと後ボディをドッキングした際のレンズマウント面からフィルムレールまでの寸法を、調整無しで高精度に出せるようにしている。
【０００９】
ところが、図６の構成では、後ボディ側のパトローネ室、スプール室が成形によって前後に変形し、レール面からドッキング面までの寸法を正確に再現できない場合が多かった。
【００１０】
また、図７の構成では、前ボディ側のプリズムボックス収納部が成形によって変形し、バヨネットマウント取り付け面から後部上側のドッキング面までの寸法を正確に再現できない場合が多く、また、前ボディの後部上側のドッキング面は後ろ側に抜く型、バヨネットマウント取り付け面下部裏側のドッキング面は下側に抜く型と、別の型で構成され、バラツキが大きくなる場合が多かった。
【００１１】
本発明は、上記の問題点に鑑みてなされたもので、前ボディと後ボディの成型による寸法バラツキを少なくし、ドッキングした際の寸法を正確に再現することを目的とする。
【００１２】
【課題を解決するための手段】
この目的を達成するために、請求項１の発明によるカメラボディは、撮影レンズを取り付け可能に構成された筐体状の第１ボディと、
開口と、撮像媒体の位置決めをする基準面と、を有する第２ボディと、を接合することによって構成されるカメラボディにおいて、
前記第１ボディには、前記撮影レンズを取り付けるバヨネットマウントと、メインミラーを収納するミラーボックスと、シャッターユニットとが取り付けられるとともに、前記第２ボディに取り付けられる全ての取り付け面が、同一の型で形成され且つ前記撮影レンズの光軸方向における同一平面上に設けられており、
前記第２ボディの前記開口が存在する面であって且つ前記第１ボディと対向する面に、前記第１ボディの前記全ての取り付け面を当接させ、該当接させた部分において前記第１ボディを前記第２ボディに取り付けることを特徴とする。
【００１３】
請求項２の発明によるカメラボディは、請求項１において、前記開口の周辺部において、前記第１ボディと前記第２ボディとを締結手段により固定することを特徴とする。
【００１４】
請求項３の発明によるカメラボディは、請求項１または請求項２において、前記基準面は、フィルムレール、もしくは撮像素子の取り付け面を構成していることを特徴とする。
【００１５】
請求項４の発明によるカメラボディは、請求項１乃至請求項３において、前記第１ボディと前記第２ボディの当接する面に、前記シャッターユニットが取り付けられていることを特徴とする。
【００１６】
【発明の実施の形態】
以下、本発明の実施の形態を図面に基づいて説明する。
【００１７】
図１は、本発明によるカメラボディの一実施形態を示す斜視図である。
【００１８】
図１において、後ボディ１１０は、アパーチャー１１１、パトローネ室１１２、
スプール室１１３を有する。後ボディ１１０は、アパーチャー上側ドッキング面１１４〜１１５、およびアパーチャー下側ドッキング面１１６〜１１７において、次に説明する前ボディ１２０とドッキングされる。
【００１９】
前ボディ１２０は、メインミラーを収納するミラーボックス１２１およびバヨネットマウント取り付け面１２２〜１２６（左下側の１箇所は不図示）を有する。前ボディ１２０は、アパーチャー上側ドッキング部１２７〜１２８およびアパーチャー下側ドッキング部１２９〜１３０において、後ボディ１１０とドッキングされる。前ボディ１２０と後ボディ１１０のドッキングは、ドッキングビス１６１〜１６４により光軸後側から後ボディ１１０を前ボディ１２０に取り付けることによって実現される。
【００２０】
バヨネットマウント１４０は、バヨネットマウント取り付け穴１４１〜１４６に、バヨネットマウント取り付けビス１５１〜１５６によって取り付けられる。バヨネットマウント取り付けビス１５１〜１５６は、光軸前側からバヨネットマウント１４０を前ボディ１２０に取り付ける。
【００２１】
前ボディ１２０は、図２に示すように、バヨネットマウント取り付け面１３１、ペンタミラー（ペンタプリスム）収納部１３２、およびミラーボックス１２１が備えられた箱型構造になっており、成型時の変形の影響を受けにくい形にしてある。
【００２２】
また、バヨネット取り付け面の６箇所は、光軸前側の同一平面に設けられ、前側に抜く型にて形成してある。後ボディドッキング面の４箇所は、光軸方向後側の同一平面に設けられ、後側に抜く型にて形成してある。このように、各々の取り付け面を同一の型にて形成することにより、寸法バラツキを小さくしている。
【００２３】
図３は、後ボディ１１０を光軸方向前側から見た正面図である。アパーチャー上部のドッキング面１１４〜１１５と、アパーチャー下部のドッキング面１１６〜１１７とが確認される。
【００２４】
図４は、前ボディ１２０を光軸方向後側から見た背面図である。アパーチャー上部のドッキング面１２７〜１２８およびアパーチャー下部のドッキング面１２９〜１３０が確認される。
【００２５】
図５は、前ボディ１２０にフォーカルプレンシャッターを取り付けた状態を光軸方向後側から見た背面図である。シャッター１７０は、ビス１７１〜１７２により前ボディ１２０に取り付けられている。ドッキング面１２７〜１３０は、シャッター１７０の外側に設けられている。前ボディ１２０と後ボディ１１０のドッキングにおいて、バヨネットマウント面からフィルムレール面までの寸法に微調整か必要な場合は、この４箇所のドッキング面に寸法調整用のワッシャーを入れてドッキングすれば良く、またドッキング面の４箇所の高さをそろえておけば、アパーチャーより大きな穴を有する薄板をシャッターの後ろ側に配置して、その板をドッキング面に挟み込んでドッキングしても良い。また、後ボディ１１０の基準面となるフィルムレールを金属製にする場合は、プラスチックに比べて硬めに構成されているので、より寸法を正確に出すことが可能になる。更に、前ボディ１２０と後ボディ１１０の当接する面に剛性の高いシャッターユニットが存在することでも、より寸法を正確に出すことが可能になる。
【００２６】
【発明の効果】
以上のように、本発明のカメラボディによれば、第２ボディに取り付けられる全ての取り付け面が、同一の型で形成され且つ撮影レンズの光軸方向における同一平面上に設けられており、そして第２ボディの開口が存在する面であって且つ第１ボディと対向する面に、その第１ボディの全ての取り付け面を当接させ、そしてその当接させた部分において第１ボディを第２ボディに取り付けるように構成したので、成形時の変形の影響や型構成に起因するバラツキの影響を少なくし、前ボディおよび後ボディの寸法バラツキを抑え、ドッキングした際のバヨネットマウント取り付け面からフィルムレール面までの光軸方向の寸法を正確に再現することが可能となる。
【００２７】
また、請求項４の発明によれば、プラスチックに比べて硬めに構成されているシャッターユニットが存在することで、より寸法を正確に出すことが可能になる。
【図面の簡単な説明】
【図１】本発明によるカメラボディの一実施形態を示す斜視図である。
【図２】本発明によるカメラボディの一実施形態を示す斜視図である。
【図３】本発明によるカメラボディの一実施形態を示す正面図である。
【図４】本発明によるカメラボディの一実施形態を示す背面図である。
【図５】本発明によるカメラボディの一実施形態を示す背面図である。
【図６】従来のカメラボディの一例を示す斜視図である。
【図７】従来のカメラボディの一例を示す斜視図である。
【符号の説明】
１１０    後ボディ
１１１    アパーチャー
１１２    パトローネ室
１１３    スプール室
１１４    アパーチャー上側ドッキング面
１１６    アパーチャー下側ドッキング面
１２０    前ボディ
１２１    ミラーボックス
１２２    バヨネットマウント取り付け面
１２７    アパーチャー上側ドッキング部
１２９    アパーチャー下側ドッキング部
１４０    バヨネットマウント
１４１    穴
１５１    ビス
１６１    ドッキングビス
１７０    シャッター
１７１    ビス
【図１】
0004022641.tif 000002
【図２】
0004022641.tif 000003
【図３】
0004022641.tif 000004
【図４】
0004022641.tif 000005
【図５】
0004022641.tif 000006
【図６】
0004022641.tif 000007
【図７】
0004022641.tif 000008